(57)【要約】【課題】腕を動かす動作をスムーズに行うことができる野球用アンダーシャツを提供する。【解決手段】脇部に前半身側から後半身側にかけて延在する脇開き部６が設けられた野球用アンダーシャツ１であって、脇開き部６は、後半身側に存在している部分が前半身側に存在している部分よりも長い。脇部は、脇開き部６より身長方向の上方に存在する第１脇パーツ４と、脇開き部６より身長方向の下方に存在する第２脇パーツ５を有し、第１脇パーツ４と第２脇パーツ５によって脇開き部６が形成される。脇開き部６は、第２脇パーツ５の上端部の外側に第１脇パーツ４の下端部が重ねられた重ね合わせ部に形成されていることが好ましい。また、脇開き部６は、後半身側から前半身側に向かって身長方向の下方に延びるように形成されていることが好ましい。【選択図】図２
2020196980.tif 000002
【特許請求の範囲】
【請求項１】
脇部に前半身側から後半身側にかけて延在する脇開き部が設けられた野球用アンダーシャツであって、
前記脇開き部は、後半身側に存在している部分が前半身側に存在している部分よりも長いことを特徴とする野球用アンダーシャツ。
【請求項２】
前記脇開き部は、後半身側から前半身側に向かって身長方向の下方に延びるように形成されている請求項１に記載の野球用アンダーシャツ。
【請求項３】
前記脇部は、前記脇開き部より身長方向の上方に存在する第１脇パーツと、前記脇開き部より身長方向の下方に存在する第２脇パーツを有し、第１脇パーツと第２脇パーツによって脇開き部が形成され、
前記第２脇パーツの上端部の外側に前記第１脇パーツの下端部が重ねられ、前記脇開き部は、第１脇パーツと第２脇パーツの重ね合わせ部に形成されている請求項１または２に記載の野球用アンダーシャツ。
【請求項４】
第１脇パーツと第２脇パーツは、前記重ね合わせ部において、身幅方向の両側の接合部で互いに接合され、当該接合部間の長さが身長方向の下方にいくに従い短くなる請求項３に記載の野球用アンダーシャツ。
【請求項５】
第１脇パーツの下端縁は身長方向の上方に凸となる湾曲状に形成されている請求項３または４に記載の野球用アンダーシャツ。
【請求項６】
第２脇パーツの上端縁は身長方向の下方に凸となる湾曲状に形成されている請求項５に記載の野球用アンダーシャツ。
【請求項７】
前記脇部は、脇開き部より身長方向の上方に存在する第１脇パーツと、脇開き部より身長方向の下方に存在する第２脇パーツを有し、第１脇パーツと第２脇パーツによって脇開き部が形成され、
第１脇パーツは第１脇パーツの下端縁において折り返されていないか、第２脇パーツは第２脇パーツの上端縁において折り返されていないか、第１脇パーツは第１脇パーツの下端縁において折り返されておらず、かつ、第２脇パーツは第２脇パーツの上端縁において折り返されていない請求項１〜６のいずれか一項に記載の野球用アンダーシャツ。
【請求項８】
第１脇パーツはフリーカット布地から構成され、第１脇パーツの端縁において折り返されていないか、第２脇パーツはフリーカット布地から構成され、第２脇パーツの上端縁において折り返されていないか、第１脇パーツはフリーカット布地から構成され、第１脇パーツの下端縁において折り返されておらず、かつ、第２脇パーツはフリーカット布地から構成され、第２脇パーツの上端縁において折り返されていない請求項７に記載の野球用アンダーシャツ。
【請求項９】
前記フリーカット布地は、ポリウレタン糸またはポリウレタン層を有しない請求項８に記載の野球用アンダーシャツ。
【請求項１０】
前記脇部は、脇開き部より身長方向の上方に存在する第１脇パーツと、脇開き部より身長方向の下方に存在する第２脇パーツを有し、第１脇パーツと第２脇パーツによって脇開き部が形成され、
第１脇パーツは、第１脇パーツの下端縁の延在方向に沿った伸長応力が第１脇パーツの下端縁の延在方向に垂直な方向の伸長応力よりも大きい請求項１〜９のいずれか一項に記載の野球用アンダーシャツ。
【請求項１１】
前記アンダーシャツは、胸部から腹部にかけて存在する前側パーツと、背骨に沿って存在する後側パーツと、前記脇部に、脇開き部より身長方向の上方に存在する第１脇パーツと、脇開き部より身長方向の下方に存在する第２脇パーツとを有し、第１脇パーツと第２脇パーツによって脇開き部が形成され、
第１脇パーツにおける第１脇パーツの下端縁の延在方向に垂直な方向の伸長応力は、前側パーツと後側パーツの身長方向の伸長応力よりも大きい請求項１〜１０のいずれか一項に記載の野球用アンダーシャツ。
【請求項１２】
前記アンダーシャツは、腕に沿って存在する袖パーツと、前記脇部に、脇開き部より身長方向の上方に存在する第１脇パーツと、脇開き部より身長方向の下方に存在する第２脇パーツとを有し、第１脇パーツと第２脇パーツによって脇開き部が形成され、
第１脇パーツにおける第１脇パーツの下端縁の延在方向に垂直な方向の伸長応力は、袖パーツの身長方向の伸長応力よりも大きい請求項１〜１１のいずれか一項に記載の野球用アンダーシャツ。
【発明の詳細な説明】
【技術分野】
【０００１】
本発明は野球用アンダーシャツに関するものであり、詳細には、野球用のユニフォームや練習着の下に着用するアンダーシャツに関するものである。
【背景技術】
【０００２】
従来、野球用のユニフォームや練習着の下に着用されるアンダーシャツが知られている。野球用のアンダーシャツはプレイヤーの上半身の動きを妨げないことが望ましく、例えば特許文献１〜３には様々なスポーツ用アンダーシャツが開示されている。これらの特許文献に開示されるアンダーシャツは、伸縮性の高い生地から構成したり、身体の部位に応じて緊締力を変えたりすることで、所望の筋肉や関節の動きをサポートしたり、運動補助機能が高められている。
【先行技術文献】
【特許文献】
【０００３】
【特許文献１】特開２００１−４９５０８号公報
【特許文献２】特開２００４−４４０７０号公報
【特許文献３】特開２０１３−２５３３５１号公報
【発明の概要】
【発明が解決しようとする課題】
【０００４】
上記のように、従来、機能性を高めたアンダーシャツが様々知られているが、なかでも野球では、ピッチングやスローイングなどの際に腕や肩周りをスムーズに動かせることが重要となる。本発明は前記事情に鑑みてなされたものであり、その目的は、腕を動かす動作をスムーズに行うことができる野球用アンダーシャツを提供することにある。
【課題を解決するための手段】
【０００５】
前記課題を解決することができた本発明の野球用アンダーシャツとは、脇部に前半身側から後半身側にかけて延在する脇開き部が設けられた野球用アンダーシャツであって、脇開き部は、後半身側に存在している部分が前半身側に存在している部分よりも長いところに特徴を有する。本発明の野球用アンダーシャツは、脇部に脇開き部が形成されることにより、腕を上げた際に袖が腕の動きに追従しやすくなり、腕を上げる動作をスムーズに行うことができる。また、脇開き部が後半身側により長く形成されることにより、腕を前に出す動作をスムーズに行うことができる。そのため、ピッチングやスローイングなどの際に腕をスムーズに動かすことができる。
【０００６】
脇開き部は、後半身側から前半身側に向かって身長方向の下方に延びるように形成されていることが好ましい。このように脇開き部が形成されていれば、腕を上げたり前に出す動作をした際に脇開き部が開いて、ピッチングやスローイングをよりスムーズに行うことができる。
【０００７】
脇部は、脇開き部より身長方向の上方に存在する第１脇パーツと、脇開き部より身長方向の下方に存在する第２脇パーツを有し、第１脇パーツと第２脇パーツによって脇開き部を形成することができる。この場合、第２脇パーツの上端部の外側に第１脇パーツの下端部が重ねられ、脇開き部は、第１脇パーツと第２脇パーツの重ね合わせ部に形成されていることが好ましい。このように脇開き部が形成されることにより、アンダーシャツの外側に着用するユニフォーム等に脇開き部が引っ掛かりにくくなり、腕を上げたり前に出す動作をスムーズに行いやすくなる。また、脇開き部を通して着用者の脇部が外側から見えにくくなり、アンダーシャツを着用した際の見栄えが良くなる。
【０００８】
第１脇パーツと第２脇パーツは、重ね合わせ部において、身幅方向の両側の接合部で互いに接合され、当該接合部間の長さが身長方向の下方にいくに従い短くなるように形成されていることが好ましい。このように第１脇パーツと第２脇パーツが形成されていれば、腕を上げたり前に出したり、あるいは腕を旋回させたりした際に、いずれの腕の角度方向においても第１脇パーツが腕の動きに引っ張られやすくなる。そのため、第１脇パーツの下端縁にしわが多数形成されたり、弛みが生じることが起こりにくくなり、第１脇パーツの下端縁が、外側に着用されるユニフォーム等に引っ掛かりにくくなる。
【０００９】
脇開き部が第１脇パーツと第２脇パーツの重ね合わせ部に形成される場合、第１脇パーツの下端縁は身長方向の上方に凸となる湾曲状に形成されていてもよい。このように第１脇パーツの下端縁が形成されることにより、第１脇パーツの下端縁がたるみにくくなり、アンダーシャツの脇部の見栄えが良くなる。また、第１脇パーツの下端縁が、外側に着用されるユニフォーム等により引っ掛かりにくくなる。この場合、さらに、第２脇パーツの上端縁が身長方向の下方に凸となる湾曲状に形成されていてもよく、これにより、着用者が脇を開いたときに、湾曲状の第１脇パーツの下端縁と第２脇パーツの上端縁によって脇開き部により広く開口が形成されやすくなり、脇開き部における通気性を高めることができる。また、ピッチングやスローイングの際、第１脇パーツと第２脇パーツの重ね合わせ部の身幅方向の両側に身長方向のせん断歪みが生じても、重ね合わせ部にしわや弛みが生じにくくなり、腕の旋回動作をスムーズに行いやすくなる。
【００１０】
第１脇パーツは第１脇パーツの下端縁において折り返されていないか、第２脇パーツは第２脇パーツの上端縁において折り返されていないか、第１脇パーツは第１脇パーツの下端縁において折り返されておらず、かつ、第２脇パーツは第２脇パーツの上端縁において折り返されていないことが好ましい。これにより、脇開き部の近傍がごわつかずに柔軟に形成され、着用者がアンダーシャツを着用した際に脇部に違和感を覚えにくくなる。
【００１１】
上記のように第１脇パーツまたは第２脇パーツが形成される場合、第１脇パーツはフリーカット布地から構成され、第１脇パーツの端縁において折り返されていないか、第２脇パーツはフリーカット布地から構成され、第２脇パーツの上端縁において折り返されていないか、第１脇パーツはフリーカット布地から構成され、第１脇パーツの下端縁において折り返されておらず、かつ、第２脇パーツはフリーカット布地から構成され、第２脇パーツの上端縁において折り返されていないことが好ましい。このように第１脇パーツと第２脇パーツが構成されることにより、第１脇パーツの下端縁や第２脇パーツの上端縁でほつれが生じにくくなる。フリーカット布地は、ポリウレタン糸またはポリウレタン層を有しないものであることが好ましく、これにより、脇開き部の近傍のごわつきが抑えられ、脇部を軽量に形成することができる。
【００１２】
第１脇パーツは、第１脇パーツの下端縁の延在方向に沿った伸長応力が第１脇パーツの下端縁の延在方向に垂直な方向の伸長応力よりも大きいことが好ましい。このように第１脇パーツが構成されていれば、第１脇パーツは、第１脇パーツの下端縁の延在方向よりも、第１脇パーツの下端縁の延在方向に垂直な方向に対して伸長しやすくなる。脇部は、腕を上げ下ろしする際に、身長方向に対して特に負荷がかかるため、このように第１脇パーツが構成されていれば、腕を伸ばした方向に沿って第１脇パーツが伸長しやすくなり、腕をスムーズに動かしやすくなる。
【００１３】
アンダーシャツは、胸部から腹部にかけて存在する前側パーツと、背骨に沿って存在する後側パーツと、脇部に第１脇パーツと第２脇パーツとを有し、第１脇パーツと第２脇パーツによって脇開き部が形成され、第１脇パーツにおける第１脇パーツの下端縁の延在方向に垂直な方向の伸長応力が、前側パーツと後側パーツの身長方向の伸長応力よりも大きいことが好ましい。このようにアンダーシャツが構成されていれば、腕を上げる動作をした際に、第１脇パーツよりも前側パーツと後側パーツの方が伸長しやすくなる。そのため、脇部や肩周りにおける突っ張り感が低減し、腕を上げる動作をスムーズに行いやすくなる。
【００１４】
アンダーシャツは、腕に沿って存在する袖パーツと、脇部に第１脇パーツと第２脇パーツとを有し、第１脇パーツと第２脇パーツによって脇開き部が形成され、第１脇パーツにおける第１脇パーツの下端縁の延在方向に垂直な方向の伸長応力が、袖パーツの身長方向の伸長応力よりも大きいことが好ましい。このようにアンダーシャツが構成されていれば、腕を上げたり前に出す動作をした際に、第１脇パーツよりも袖パーツの方が伸長しやすくなる。そのため、脇開き部が形成されていることと相まって、脇部や肩周りにおける突っ張り感が低減し、腕を動かす動作をスムーズに行いやすくなる。
【発明の効果】
【００１５】
本発明の野球用アンダーシャツは、脇部に脇開き部が形成されることにより、腕を上げた際に袖が腕の動きに追従しやすくなり、腕を上げる動作をスムーズに行うことができる。また、脇開き部が後半身側により長く形成されることにより、腕を前に出す動作をスムーズに行うことができる。そのため、ピッチングやスローイングなどの際に腕をスムーズに動かすことができる。
【図面の簡単な説明】
【００１６】
【図１】本発明の野球用アンダーシャツの一例を表し、アンダーシャツを前側から見た全体図を表す。
【図２】図１に示した野球用アンダーシャツを後側から見た全体図を表す。
【図３】アンダーシャツの脇部の平面図の一例を表す。
【図４】アンダーシャツの脇部の平面図の他の一例を表す。
【図５】アンダーシャツの脇部の平面図の他の一例を表す。
【発明を実施するための形態】
【００１７】
本発明の野球用アンダーシャツについて、図面を参照して説明する。なお、本発明は図面に示された実施態様に限定されるものではない。図１〜図４には、本発明の野球用アンダーシャツの一例を示した。図１はアンダーシャツを前側から見た全体図を表し、図２はアンダーシャツを後側から見た全体図を表し、図３はアンダーシャツの脇部の平面図の一例を表し、図４および図５はアンダーシャツの脇部の平面図の他の例を表す。図１および図２では、アンダーシャツを構成する各パーツが一点鎖線で区分して表されている。
【００１８】
野球用アンダーシャツ１は袖を有する。アンダーシャツ１の袖の長さは特に限定されないが、本発明の効果がより奏効される点から袖は少なくとも肘まで延びていることが好ましく、前腕まで延びていることがより好ましい。アンダーシャツ１は、例えば五分袖、七分袖または長袖のシャツであることが好ましい。
【００１９】
アンダーシャツ１は、複数のパーツを組み合わせて構成することができる。図面に示したアンダーシャツ１は、胸部から腹部に存在する前側パーツ２と、背骨に沿って存在する後側パーツ３とを有し、脇部に脇パーツ４，５が設けられている。脇パーツ４，５は、アンダーシャツ１の左右両側において、身幅方向に対し前側パーツ２と後側パーツ３の間に設けられる。腕には袖パーツ８が設けられている。図面に示したアンダーシャツ１では、袖パーツ８が腕から肩甲骨にかけて延在しているが、袖パーツ８は腕の付け根や肩まで延在し、肩甲骨まで延在しないものであってもよい。また、アンダーシャツ１は他の構成パーツを有するものであってもよい。各パーツは、編布、織布等の布地から構成されることが好ましく、当該布地は伸縮性を有することが好ましい。各パーツは、縫製、シームテープ、熱融着、接着剤等の公知の接合手段により、互いに接続することができる。縫製方法は特に限定されないが、縫合部分での引っ掛かりが少なくなる点から、フラットシーマ（４本針縫製）を採用することが好ましい。
【００２０】
アンダーシャツ１において、身長方向とは、着用者の頭から足にかけての方向に相当し、身幅方向とは、着用者の左右方向に相当する。アンダーシャツ１の身長方向と身幅方向は、着用者がアンダーシャツ１を着用した状態で定められる。身長方向に対しては上方と下方が定められ、身幅方向に対しては、身幅方向の中心線（着用者の左右方向の中心線に対応）を基準に、内方と外方が定められる。
【００２１】
アンダーシャツ１は前半身と後半身を有する。前半身と後半身は、アンダーシャツ１の体側部を身長方向に延びる境界線によって区分され、アンダーシャツ１を平面状に置いたときの前側部分を前半身とし、後側部分を後半身とする。前半身と後半身は、アンダーシャツ１を構成する各パーツとは無関係に規定される。
【００２２】
アンダーシャツ１の脇部には、脇開き部６が設けられている。脇部は、袖の付け根の内側部分を含む部分、すなわち着用者の胴体と腕の接続部の内側部分を含む部分であり、例えば脇を閉じた状態で上腕（好ましくは上腕の上半分の部分）と体側部に挟まれた部分に相当する。脇部には、アンダーシャツ１の前半身側から後半身側にかけて脇開き部６が設けられている。具体的には、脇部は、脇開き部６より身長方向の上方に存在する第１脇パーツ４と、脇開き部６より身長方向の下方に存在する第２脇パーツ５を有し、第１脇パーツ４と第２脇パーツ５によって脇開き部６が形成されている。脇開き部６は脇部の少なくとも一部に形成され、例えば脇部から背中（特に肩甲骨）にかけて延在していてもよい。アンダーシャツ１は、脇開き部６において、アンダーシャツ１の内側の空間と外側の空間が連通する。
【００２３】
脇開き部６は、前半身側から後半身側にかけて延在し、後半身側に存在している部分が前半身側に存在している部分よりも長くなっている。このように脇開き部６が形成されることにより、野球における様々な動作をスムーズに行うことができる。例えば脇開き部６を有しない場合は、腕を上げる動作の際に、袖が腕の動きにスムーズに追従せず、腕や肩周りが突っ張りやすくなる。しかし、脇部に脇開き部６が形成されることにより、腕を上げた際に袖が腕の動きに追従しやすくなり、腕を上げる動作をスムーズに行うことができる。また、脇開き部６が後半身側により長く形成されることにより、腕を前に出す動作をスムーズに行うことができる。そのため、アンダーシャツ１を着用することにより、特にピッチングやスローイングの動作をスムーズに行うことができる。また、肩周りの動きをスムーズにしつつ、脇部以外の箇所、例えば腕や胸部におけるサポート機能を好適に発揮させることが可能となる。
【００２４】
脇開き部６は、肩甲骨またはその近傍まで延在していることが好ましい。これにより、肩周りを動かした際に肩甲骨の動きが阻害されにくくなり、特にピッチングやスローイングの際に腕を前に出す動作をスムーズに行いやすくなる。肩甲骨の近傍としては、肩甲骨から３ｃｍ以内が好ましく、２ｃｍ以内がより好ましく、１ｃｍ以内がさらに好ましい。
【００２５】
脇開き部６は、アンダーシャツ１の前半身には長く形成されなくてよい。脇開き部６の前側は、例えば、乳頭よりも身幅方向の内方に延在しないことが好ましい。
【００２６】
脇開き部６の長さは、例えば４ｃｍ以上が好ましく、６ｃｍ以上がより好ましく、８ｃｍ以上がさらに好ましい。一方、脇開き部６の長さの上限については、２０ｃｍ以下が好ましく、１８ｃｍ以下がより好ましく、１５ｃｍ以下がさらに好ましい。前半身側に形成された脇開き部６の長さＬ１と後半身側に形成された脇開き部６の長さＬ２との比Ｌ１／Ｌ２は、肩周りの動きを広範囲にわたってスムーズにする点から、１０／９０以上が好ましく、２０／８０以上がより好ましく、またアンダーシャツ１の前半身側の見栄えを良くする点から、４５／５５以下が好ましく、４０／６０以下がより好ましい。
【００２７】
脇開き部６は、身幅方向に平行に延びるように形成されていてもよく、身幅方向に対して斜めに延びるように形成されていてもよい。また、脇開き部６は、直線状に形成されていてもよく、曲線状に形成されていてもよい。脇開き部６が身幅方向に対して斜めに延びるように形成される場合、脇開き部６は、アンダーシャツ１の後半身側から前半身側に向かって身長方向の下方に延びるように形成されていてもよく、上方に延びるように形成されていてもよい。脇開き部６は、身幅方向に対して６０°以下の角度で延びることが好ましく、５０°以下がより好ましく、４０°以下がさらに好ましい。
【００２８】
脇開き部６は、アンダーシャツ１の後半身側から前半身側に向かって身長方向の下方に延びるように形成されていることが好ましい。このように脇開き部６が形成されていれば、腕を上げたり前に出す動作をした際に、脇開き部６が開きやすくなり、ピッチングやスローイングの動作がよりスムーズになる。
【００２９】
脇開き部６は、例えば図３に示すように、スリット状に形成することができる。この場合、第１脇パーツ４と第２脇パーツ５は、第１脇パーツ４の下端縁と第２脇パーツ５の上端縁とが平面視で互いに対向するように配置され、第１脇パーツ４の下端縁と第２脇パーツ５の上端縁の間のスリットが脇開き部６として機能する。脇開き部６がスリット状に形成される場合、スリットの両端部間の距離が脇開き部６の長さとなり、スリットの延在方向が脇開き部６の延在方向となる。
【００３０】
脇開き部６は、図４に示すように、第２脇パーツ５の上端部の外側に第１脇パーツ４の下端部が重ねられ、第１脇パーツ４と第２脇パーツ５の重ね合わせ部７に形成されるものであってもよい。第１脇パーツ４の下端部は、第１脇パーツ４の下端縁を含み、第２脇パーツ５と重なる部分と規定され、第２脇パーツ５の上端部は、第２脇パーツ５の上端縁を含み、第１脇パーツ４と重なる部分と規定される。脇開き部６は、重ね合わせ部７において、第１脇パーツ４と第２脇パーツ５が身幅方向の両側の接合部で互いに接合され、その間で非接合とされることにより形成される。この場合、第１脇パーツ４の下端縁の非接合部分の両端部間の距離が脇開き部６の長さとなり、第１脇パーツ４の下端縁の非接合部分の延在方向が脇開き部６の延在方向となる。
【００３１】
図面には示されていないが、脇開き部６は、第１脇パーツ４の下端部の外側に第２脇パーツ５の上端部が重ねられ、第１脇パーツ４と第２脇パーツ５の重ね合わせ部に形成されるものであってもよい。この場合は、第２脇パーツ５の上端縁の非接合部分の両端部間の距離が脇開き部６の長さとなり、第２脇パーツ５の下端縁の非接合部分の延在方向が脇開き部６の延在方向となる。
【００３２】
脇開き部６は、図４に示すように、第２脇パーツ５の上端部の外側に第１脇パーツ４の下端部が重ねられ、第１脇パーツ４と第２脇パーツ５の重ね合わせ部７に形成されるものであることが好ましい。このように脇開き部６が形成されることにより、アンダーシャツ１の外側に着用するユニフォーム等に脇開き部６が引っ掛かりにくくなり、腕を上げたり前に出す動作をスムーズに行いやすくなる。また、脇開き部６を通して着用者の脇部が外側から見えにくくなり、アンダーシャツ１を着用した際の見栄えが良くなる。
【００３３】
図５には、図４に示した脇部の変形例を示した。図４では、第１脇パーツ４の下端縁と第２脇パーツ５の上端縁が直線状に形成されていたが、図５に示すように、第１脇パーツ４の下端縁は曲線状に形成されていてもよく、第２脇パーツ５の上端縁は曲線状に形成されていてもよい。なかでも、第２脇パーツ５の上端部の外側に第１脇パーツ４の下端部が重ねられて脇開き部６が形成される場合は、第１脇パーツ４の下端縁が身長方向の上方に凸となる湾曲状に形成されることが好ましい。このように第１脇パーツ４の下端縁が形成されることにより、第１脇パーツ４の下端縁がたるみにくくなり、アンダーシャツ１の脇部の見栄えが良くなる。また、第１脇パーツ４の下端縁が、外側に着用されるユニフォーム等により引っ掛かりにくくなる。なお、このように第１脇パーツ４の下端縁が曲線状に形成される場合、第１脇パーツ４の下端縁の非接合部分の両端部を結ぶ直線の延在方向が、第１脇パーツ４の下端縁の延在方向となり、また脇開き部６の延在方向となる。
【００３４】
上記のように第１脇パーツ４の下端縁が身長方向の上方に凸となる湾曲状に形成される場合、第１脇パーツ４の下端縁の非接合部分の両端部を結ぶ直線の長さをＬ1Hとし、第１脇パーツ４の下端縁上の点と当該直線との最大距離をＬ1Vとすると、Ｌ1VはＬ1Hの０．０５倍以上が好ましく、０．１倍以上がより好ましく、また０．６倍以下が好ましく、０．５倍以下がより好ましく、０．４倍以下がさらに好ましい。
【００３５】
第２脇パーツ５の上端部の外側に第１脇パーツ４の下端部が重ねられて脇開き部６が形成される場合は、図５に示すように、第１脇パーツ４の下端縁が身長方向の上方に凸となる湾曲状に形成され、かつ、第２脇パーツ５の上端縁が身長方向の下方に凸となる湾曲状に形成されることも好ましい。このように第１脇パーツ４の下端縁と第２脇パーツ５の上端縁が形成されていれば、着用者が脇を開いたときに、湾曲状の第１脇パーツ４の下端縁と第２脇パーツ５の上端縁によって脇開き部６により広く開口が形成されやすくなり、脇開き部６における通気性を高めることができる。また、ピッチングやスローイングの際、第１脇パーツと第２脇パーツの重ね合わせ部の身幅方向の両側に身長方向のせん断歪みが生じても、重ね合わせ部にしわや弛みが生じにくくなり、腕の旋回動作をスムーズに行いやすくなる。さらに、第２脇パーツ５の上端縁が身長方向の下方に凸となる湾曲状に形成されることによって、第２脇パーツ５の上端縁が着用者の脇に接触しにくくなり、アンダーシャツ１の着用感をより高めることができる。この場合、脇開き部６を着用者の脇のより近くに設けることが可能となり、それにより脇部における通気性をより高めることができる。
【００３６】
上記のように第２脇パーツ５の上端縁が身長方向の下方に凸となる湾曲状に形成される場合、第２脇パーツ５の上端縁の非接合部分の両端部を結ぶ直線の長さをＬ2Hとし、第２脇パーツ５の上端縁上の点と当該直線との最大距離をＬ2Vとすると、Ｌ2VはＬ2Hの０．０５倍以上が好ましく、０．１倍以上がより好ましく、また０．６倍以下が好ましく、０．５倍以下がより好ましく、０．４倍以下がさらに好ましい。
【００３７】
上記では、第２脇パーツ５の上端部の外側に第１脇パーツ４の下端部が重ねられて脇開き部６が形成される場合において、第１脇パーツ４の下端縁が身長方向の上方に凸となる湾曲状に形成される態様、または、第１脇パーツ４の下端縁が身長方向の上方に凸となる湾曲状に形成され、かつ、第２脇パーツ５の上端縁が身長方向の下方に凸となる湾曲状に形成される態様を説明したが、アンダーシャツ１は、第１脇パーツ４の下端縁が直線状に形成され、第２脇パーツ５の上端縁が身長方向の下方に凸となる湾曲状に形成されてもよい。
【００３８】
図面には示されていないが、第１脇パーツ４の下端部の外側に第２脇パーツ５の上端部が重ねられて脇開き部６が形成される場合は、第２脇パーツ５の上端縁が身長方向の下方に凸となる湾曲状に形成されることが好ましく、また第１脇パーツ４の下端縁が身長方向の上方に凸となる湾曲状に形成されることが好ましい。この場合は、第２脇パーツ５の上端縁の非接合部分の両端部を結ぶ直線の延在方向が、第２脇パーツ５の上端縁の延在方向となり、また脇開き部６の延在方向となる。
【００３９】
脇開き部６が、第２脇パーツ５の上端部の外側に第１脇パーツ４の下端部が重ねられた重ね合わせ部７に形成される場合、第１脇パーツ４と第２脇パーツ５は、重ね合わせ部７において身幅方向の両側で互いに接合された接合部間の長さが、身長方向の下方にいくに従い短くなるように形成されていることが好ましい。なお、第１脇パーツ４と第２脇パーツ５の接合部間の長さとは、第１脇パーツ４の下端縁の延在方向に対して平行な方向に対する長さを意味する。第１脇パーツ４の下端縁が曲線状に形成される場合は、第１脇パーツ４の下端縁の非接合部分の両端部を結ぶ直線の延在方向に対して平行な方向に対する長さを、第１脇パーツ４と第２脇パーツ５の接合部間の長さとする。このように第１脇パーツ４と第２脇パーツ５の重ね合わせ部７が形成されていれば、腕を上げたり前に出したり、あるいは腕を旋回させたりした際に、いずれの腕の角度方向においても第１脇パーツ４が腕の動きに引っ張られやすくなる。そのため、第１脇パーツ４の下端縁にしわが多数形成されたり、弛みが生じることが起こりにくくなり、第１脇パーツ４の下端縁が、外側に着用されるユニフォーム等に引っ掛かりにくくなる。
【００４０】
第１脇パーツ４と第２脇パーツ５の重ね合わせ部７は、第１脇パーツ４の下端縁の延在方向に垂直な方向の長さ（最短長さ）が１ｃｍ以上であることが好ましく、２ｃｍ以上がより好ましく、３ｃｍ以上がさらに好ましい。このように重ね合わせ部７が形成されることにより、腕を動かした際に第２脇パーツ５の上端縁が露出しにくくなり、脇開き部６が、外側に着用されるユニフォーム等に引っ掛かりにくくなる。一方、第１脇パーツ４と第２脇パーツ５の重ね合わせ部７は、第１脇パーツ４の下端縁の延在方向に垂直な方向の長さ（最短長さ）が１２ｃｍ以下が好ましく、１０ｃｍ以下がより好ましく、８ｃｍ以下がさらに好ましい。これにより、脇開き部６における通気性を高めることができる。
【００４１】
第１脇パーツ４は、第１脇パーツ４の下端縁において折り返されていないことが好ましい。第２脇パーツ５は、第２脇パーツ５の上端縁において折り返されていないことが好ましい。これにより、脇開き部６の近傍がごわつかずに柔軟に形成され、着用者がアンダーシャツ１を着用した際に脇部に違和感を覚えにくくなる。この場合、第１脇パーツ４と第２脇パーツ５の少なくとも一方が上記のように形成されていることが好ましく、第１脇パーツ４と第２脇パーツ５の両方が上記のように形成されていることがより好ましい。
【００４２】
第１脇パーツ４が第１脇パーツ４の下端縁において折り返されずに形成される場合、第１脇パーツ４が布材から構成されていると、当該布材が第１脇パーツ４の下端縁でほつれるおそれがある。同様に、第２脇パーツ５が第２脇パーツ５の上端縁において折り返されずに形成される場合、第２脇パーツ５が布材から構成されていると、当該布材が第２脇パーツ５の上端縁でほつれるおそれがある。このような布材のほつれを防ぐため、第１脇パーツ４は下端縁にかがり縫いが施されていてもよく、第２脇パーツ５は上端縁にかがり縫いが施されていてもよい。これにより、第１脇パーツ４が下端縁で折り返されたり、第２脇パーツ５が上端縁で折り返される場合と比べて、脇開き部６の近傍のごわつきを低減することができる。
【００４３】
なお、第１脇パーツ４の下端縁や第２脇パーツ５の上端縁にかがり縫いが施される場合は、かがり縫いが施されない場合と比べると、脇開き部６の近傍の柔軟性がいくらか低下することは避けられない。従って、脇開き部６の近傍の柔軟性をより高める点から、第１脇パーツ４や第２脇パーツ５はフリーカット布地から構成されていることが好ましい。すなわち、第１脇パーツ４はフリーカット布地から構成され、第１脇パーツ４の端縁において折り返されていないことが好ましく、第２脇パーツ５はフリーカット布地から構成され、第２脇パーツ５の上端縁において折り返されていないことが好ましい。このように第１脇パーツ４と第２脇パーツ５が構成されることにより、第１脇パーツ４の下端縁や第２脇パーツ５の上端縁を切断縁から形成し、特にほつれ防止のための縫製加工を施さなくても、第１脇パーツ４の下端縁や第２脇パーツ５の上端縁で布材のほつれが生じにくくなる。また、脇開き部６の近傍での柔軟性を高めることができるため、アンダーシャツ１を着用した際に、着用者が脇部に違和感を覚えにくくなる。より好ましくは、アンダーシャツ１は、第１脇パーツ４がフリーカット布地から構成され、第１脇パーツ４の端縁において第１脇パーツ４が折り返されておらず、かつ、第２脇パーツ５がフリーカット布地から構成され、第２脇パーツ５の上端縁において第２脇パーツ５が折り返されないように形成される。
【００４４】
フリーカット布地とは、布地を切断した際の布地端の処理が不要な布地を意味する。フリーカット布地としては、例えば、弾性糸（例えばポリウレタン糸）を布地の編組織に編み込み、その編み込み構造によって布地端をほつれにくくしたもの；布地の編組織に融着糸を編み込み、熱処理を加えることによって、布地端をほつれにくくしたもの；布地に樹脂層（例えばポリウレタン層）を固着させることによって、布地端をほつれにくくしたもの；高密度編布や高密度織布から布地を構成することによって、布地端をほつれにくくしたもの等が挙げられる。なお、脇開き部６の近傍のごわつきを抑え、軽量に形成する点から、フリーカット布地はポリウレタン糸またはポリウレタン層を有しないことが好ましく、高密度編布または高密度織布から構成されることがより好ましい。
【００４５】
第１脇パーツ４は、第１脇パーツ４の下端縁の延在方向に沿った伸長応力が、第１脇パーツ４の下端縁の延在方向に垂直な方向の伸長応力よりも大きいことが好ましい。このように第１脇パーツ４が構成されていれば、第１脇パーツ４が、第１脇パーツ４の下端縁の延在方向よりも、第１脇パーツ４の下端縁の延在方向に垂直な方向に対して伸長しやすくなる。脇部は、腕を上げ下ろしする際に、身長方向に対して特に負荷がかかるため、このように第１脇パーツ４が構成されていれば、腕を伸ばした方向に沿って第１脇パーツ４が伸長しやすくなり、腕をスムーズに動かしやすくなる。
【００４６】
第２脇パーツ５も、第１脇パーツ４と同じように、腕を伸ばした方向に沿って第２脇パーツ５が伸長しやすいことが好ましい。従って、第２脇パーツ５は、第２脇パーツ５の上端縁の延在方向に沿った伸長応力が、第２脇パーツ５の上端縁の延在方向に垂直な方向の伸長応力よりも大きいことが好ましい。このように第２脇パーツ５が構成されていれば、第２脇パーツ５は、第２脇パーツ５の下端縁の延在方向よりも、第２脇パーツ５の下端縁の延在方向に垂直な方向に対して伸長しやすくなる。
【００４７】
上記に説明した第１脇パーツ４と第２脇パーツ５の伸長応力は、第１脇パーツ４または第２脇パーツ５を所定の方向に５０％伸長させた際の伸長応力として規定される。伸長応力は、測定対象となる試験片を引張試験機で引っ張り、その際の応力を測定することにより求める。具体的には、１インチ（２．５４ｃｍ）の幅で切り出した試験片を、つかみ間隔が１００ｍｍとなるように留め具間に固定する。そして、試験片を引張速度２００ｍｍ／分で引っ張りながら、留め具間の距離が１５０ｍｍになったときの応力を測定する。後述する前側パーツ２と後側パーツ３の伸長応力についても、同様にして求める。
【００４８】
第１脇パーツ４を、第１脇パーツ４の下端縁の延在方向に沿って５０％伸長させたときの伸長応力をＦ1Hとし、第１脇パーツ４を、第１脇パーツ４の下端縁の延在方向に垂直な方向に５０％伸長させたときの伸長応力をＦ1Vとしたとき、Ｆ1HはＦ1Vの１．２倍以上が好ましく、１．５倍以上がより好ましい。一方、第１脇パーツ４は、伸長応力の異方性が強すぎないことが望ましいことから、Ｆ1HはＦ1Vの３．０倍以下が好ましく、２．５倍以下がより好ましい。
【００４９】
第２脇パーツ５を、第２脇パーツ５の下端縁の延在方向に沿って５０％伸長させたときの伸長応力をＦ2Hとし、第２脇パーツ５を、第２脇パーツ５の下端縁の延在方向に垂直な方向に５０％伸長させたときの伸長応力をＦ2Vとしたとき、Ｆ2HはＦ2Vの１．２倍以上が好ましく、１．５倍以上がより好ましく、また３．０倍以下が好ましく、２．５倍以下がより好ましい。
【００５０】
Ｆ1HとＦ2Hの具体的な値としては、例えば、７．０Ｎ以上が好ましく、１０．０Ｎ以上がより好ましく、また２５．０Ｎ以下が好ましく、２０．０Ｎ以下がより好ましい。Ｆ1VとＦ2Vは、例えば、５．０Ｎ以上が好ましく、６．０Ｎ以上がより好ましく、また２０．０Ｎ以下が好ましく、１５．０Ｎ以下がより好ましい。
【００５１】
第１脇パーツ４における第１脇パーツ４の下端縁の延在方向に垂直な方向の伸長応力は、前側パーツ２と後側パーツ３の身長方向の伸長応力よりも大きいことが好ましい。このようにアンダーシャツ１が構成されていれば、腕を上げる動作をした際に、第１脇パーツ４よりも前側パーツ２と後側パーツ３の方が伸長しやすくなる。そのため、脇部や肩周りにおける突っ張り感が低減し、腕を上げる動作をスムーズに行いやすくなる。
【００５２】
第１脇パーツ４における第１脇パーツ４の下端縁の延在方向に垂直な方向の伸長応力は、前側パーツ２と後側パーツ３の身幅方向の伸長応力よりも大きいことが好ましい。このようにアンダーシャツ１が構成されていれば、腕を前に出す動作をした際に、第１脇パーツ４よりも前側パーツ２と後側パーツ３の方が伸長しやすくなる。そのため、脇部や肩周りにおける突っ張り感が低減し、腕を前に出す動作をスムーズに行いやすくなる。
【００５３】
上記のように第１脇パーツ４における第１脇パーツ４の下端縁の延在方向に垂直な方向の伸長応力が、前側パーツ２と後側パーツ３の身長方向の伸長応力と身幅方向の伸長応力よりも大きい場合、前側パーツ２と後側パーツ３は、身長方向の伸長応力が身幅方向の伸長応力よりも大きいことが好ましい。ピッチングやスローイングでは、腕は特に前に強く出すように動かすため、そのような動作をよりスムーズに行えるようにすることが好ましい。そのため、前側パーツ２と後側パーツ３が、身長方向の伸長応力が身幅方向の伸長応力よりも大きくなるように構成されていれば、前側パーツ２と後側パーツ３は身幅方向により伸長しやすくなり、脇開き部６が設けられることと相まって、腕を前に向かってよりスムーズに動かしやすくなる。
【００５４】
第２脇パーツ５も、上記のように構成されていることが好ましい。すなわち、第２脇パーツ５における第２脇パーツ５の上端縁の延在方向に垂直な方向の伸長応力は、前側パーツ２と後側パーツ３の身長方向の伸長応力よりも大きいことが好ましい。また、第２脇パーツ５における第２脇パーツ５の上端縁の延在方向に垂直な方向の伸長応力は、前側パーツ２と後側パーツ３の身幅方向の伸長応力よりも大きいことが好ましい。
【００５５】
前側パーツ２を身長方向に沿って５０％伸長させたときの伸長応力をＦ3Vとし、後側パーツ３を身長方向に沿って５０％伸長させたときの伸長応力をＦ4Vとしたとき、Ｆ1V（またはＦ2V）はＦ3VとＦ4Vの１．１倍以上が好ましく、１．２倍以上がより好ましく、また２．５倍以下が好ましく、２．０倍以下がより好ましい。前側パーツ２を身幅方向に沿って５０％伸長させたときの伸長応力をＦ3Hとし、後側パーツ３を身幅方向に沿って５０％伸長させたときの伸長応力をＦ4Hとしたとき、Ｆ1V（またはＦ2V）はＦ3HとＦ4Hの１．５倍以上が好ましく、２．０倍以上がより好ましく、また８．０倍以下が好ましく、６．０倍以下がより好ましい。Ｆ3VはＦ3Hの１．５倍以上が好ましく、１．８倍以上がより好ましく、また６．０倍以下が好ましく、５．０倍以下がより好ましい。Ｆ4VはＦ4Hの１．５倍以上が好ましく、１．８倍以上がより好ましく、また６．０倍以下が好ましく、５．０倍以下がより好ましい。
【００５６】
Ｆ3VとＦ4Vの具体的な値としては、例えば、２．０Ｎ以上が好ましく、３．０Ｎ以上がより好ましく、また１２．０Ｎ以下が好ましく、１０．０Ｎ以下がより好ましい。Ｆ3HとＦ4Hは、例えば、１．０Ｎ以上が好ましく、１．５Ｎ以上がより好ましく、また８．０Ｎ以下が好ましく、６．０Ｎ以下がより好ましい。
【００５７】
第１脇パーツ４における第１脇パーツ４の下端縁の延在方向に垂直な方向の伸長応力は、袖パーツ８の身長方向（すなわち腕の延在方向）の伸長応力よりも大きいことが好ましい。このようにアンダーシャツ１が構成されていれば、腕を上げたり前に出す動作をした際に、第１脇パーツ４よりも袖パーツ８の方が伸長しやすくなる。そのため、脇開き部６が形成されていることと相まって、脇部や肩周りにおける突っ張り感が低減し、腕を動かす動作をスムーズに行いやすくなる。
【００５８】
第２脇パーツ５も、上記のように構成されていることが好ましい。すなわち、第２脇パーツ５における第２脇パーツ５の上端縁の延在方向に垂直な方向の伸長応力は、袖パーツ８の身長方向の伸長応力よりも大きいことが好ましい。
【００５９】
袖パーツ８を身長方向に沿って５０％伸長させたときの伸長応力をＦ5Vとしたとき、Ｆ1V（またはＦ2V）はＦ5Vの１．５倍以上が好ましく、２．０倍以上がより好ましく、また８．０倍以下が好ましく、６．０倍以下がより好ましい。Ｆ5Vの具体的な値としては、例えば、１．０Ｎ以上が好ましく、１．５Ｎ以上がより好ましく、また８．０Ｎ以下が好ましく、６．０Ｎ以下がより好ましい。
【００６０】
前側パーツ２と後側パーツ３の身長方向の伸長応力は、袖パーツ８の身長方向の伸長応力よりも大きいことが好ましい。このようにアンダーシャツ１が構成されていれば、腕を上げたり前に出す動作をした際に、前側パーツ２や後側パーツ３よりも袖パーツ８の方が伸長しやすくなる。そのため、腕を動かす動作、特に肘を曲げ伸ばしする動作をよりスムーズに行いやすくなる。Ｆ3V（またはＦ4V）はＦ5Vの１．５倍以上が好ましく、１．８倍以上がより好ましく、また６．０倍以下が好ましく、５．０倍以下がより好ましい。
【００６１】
アンダーシャツ１を構成する各パーツは、編布または織布から構成されることが好ましい。編布の編組織は特に限定されず、公知の編組織を採用すればよい。編布の編組織としては、平編、ゴム編、両面編、ハーフ編等が挙げられる。織布の織組織は特に限定されず、公知の織組織を採用すればよい。織布の織組織としては、平織、綾織、朱子織等が挙げられる。より好ましくは、アンダーシャツ１を構成する各パーツは編布から構成される。
【符号の説明】
【００６２】
１：野球用アンダーシャツ
２：前側パーツ
３：後側パーツ
４：第１脇パーツ
５：第２脇パーツ
６：脇開き部
７：重ね合わせ部
８：袖パーツ
【図１】
2020196980.tif 000003
【図２】
2020196980.tif 000004
【図３】
2020196980.tif 000005
【図４】
2020196980.tif 000006
【図５】
2020196980.tif 000007